(57)【要約】【課題】集塵効率の向上を図ることができる集塵機能付き電動工具を提供すること。【解決手段】モータ２と、該モータ２の出力軸３に取り付けられた集塵用ファン４Ｂと、該集塵用ファン４Ｂを覆うファンカバー（カバー部材）５を備えた集塵機能付き電動工具（ランダム・オービタルサンダー）において、前記ファンカバー５の内周部に形成される風路１０に接するファンカバー５の面を３面以上の多面（上面５ａと下面５ｂ及び内周面５ｃ）で構成するとともに、該面の少なくとも１つ（内周面５ｃ）を、前記集塵用ファン４Ｂの回転軸中心に対して所定の角度を成す傾斜面とする（又は／及び該面の少なくとも１つに段差を形成する）ことによって、前記風路１０の一部に前記集塵用ファン４Ｂの回転軸中心からの径が他の部分よりも大きな大径部１０ａを形成する。【選択図】図２
2006255808.tif 000002
【特許請求の範囲】
【請求項１】
モータと、該モータの出力軸に取り付けられた集塵用ファンと、該集塵用ファンを覆うカバー部材を備えた集塵機能付き電動工具において、
前記カバー部材の内周部に形成される風路に接するカバー部材の面を３面以上の多面で構成するとともに、該面の少なくとも１つを、前記集塵用ファンの回転軸中心に対して所定の角度を成す傾斜面とし、又は／及び該面の少なくとも１つに段差を形成することによって、前記風路の一部に前記集塵用ファンの回転軸中心からの径が他の部分よりも大きな大径部を形成したことを特徴とする集塵機能付き電動工具。
【請求項２】
前記カバー部材に形成された排塵口に連なるダストバッグを設けるとともに、前記排塵口と前記風路の大径部とを略同一高さ位置に配置したことを特徴とする請求項１記載の集塵機能付き電動工具。
【発明の詳細な説明】
【技術分野】
【０００１】
本発明は、集塵機能を備えたサンダーやカッター等の集塵機能付き電動工具に関するものである。
【背景技術】
【０００２】
この種の集塵機能付き電動工具については例えば特許文献１〜３等に種々の提案がなされているが、図６及び図７に従来の集塵機能付き電動工具の一例としてランダム・オービタルサンダーの構成を示す。
【０００３】
即ち、図６は従来のランダム・オービタルサンダーの縦断面図、図７はランダム・オービタルサンダーの部分拡大断面図であり、図６に示すように、ハウジング１内には駆動源としてのモータ２が縦置き状態で収納されている。そして、このモータ２の垂直下方へ延出する出力軸（モータ軸）３には遠心ファン４が取り付けられており、この遠心ファン４の周囲は、前記ハウジング１に連なるファンカバー５によって覆われている。尚、ハウジング１内の上部には、モータ２への電力の供給をＯＮ／ＯＦＦするためのスイッチ６が収納されている。
【０００４】
ここで、上記遠心ファン４は、上下に配された冷却用ファン４Ａと集塵用ファン４Ｂを一体化して構成されており、そのボス部には、モータ２の出力軸３の軸心に対して所定量だけ偏心した偏心軸４ａが一体に形成されている。そして、偏心軸４ａには軸受７を介してパッド８が複数本のビス９（図６には１本のみ図示）によって取り付けられており、該パッド８には複数の集塵孔８ａ（図６及び図７には１つのみ図示）が貫設されている。尚、パッド８の底面には不図示のサンドペーパーが脱着可能に装着される。
【０００５】
ところで、前記ファンカバー５の内周部であって、前記遠心ファン４の集塵用ファン４Ｂの外周部との間には、断面矩形の風路１０が形成され、ファンカバー５の一部には、風路１０に連なる排塵口５Ａを備える排塵ダクト５Ｂが一体に形成されている。そして、この排塵ダクト５Ｂにはダストバッグ１１が取り付けられている。
【０００６】
而して、前記スイッチ６をＯＮ操作してモータ２を駆動すれば、その出力軸３が回転し、該出力軸３に取り付けられた遠心ファン４が回転駆動されるとともに、該遠心ファン４の偏心軸４ａに軸受７を介して支持されたパッド８がランダム・オービット運動する。従って、ランダム・オービット運動するパッド８に装着された不図示のサンドペーパーによって不図示の被加工物が研磨加工されるが、この研磨加工時に発生する粉塵Ｐ（図７参照）は、粉塵用ファン４Ｂの回転によって発生した空気流によってパッド８の複数の集塵孔８ａを通ってファンカバー５内の風路１０へと導入され、風路１０から集塵ダクト５Ｂの排塵口５Ａを経てダストバッグ１１へと回収される。又、同時に、冷却用ファン４Ａの回転によって発生する空気流によってモータ２が冷却され、その発熱が抑えられる。
【０００７】
【特許文献１】特開平６−２２６７０９号公報
【特許文献２】特開平９−２５４０３３号公報
【特許文献３】特開２００３−０５３６５４号公報
【発明の開示】
【発明が解決しようとする課題】
【０００８】
ところが、上記従来のランダム・オービタルサンダーにおいては、図７に詳細に示すように、ファンカバー５の内周の風路に接する面は、上面５ａと下面５ｂ及び内周面５ｃの３面で構成されるが、内周面５ｃはモータ２の出力軸３の軸中心に対して平行な垂直面を構成しているため、風路１０においては回転軸方向（図６及び図７の上下方向）には圧力差が生じず、図７に示すように、風路１０において粉塵Ｐは回転軸方向（上下方向）に分散して一様に分布することになる。このため、風路１０に導入された粉塵Ｐが排塵ダクト５Ｂの排塵口５Ａからダストバッグ１１へとスムーズに回収されず、粉塵Ｐが排塵口５Ａから外れたり、排塵口５Ａに入りにくい事態が発生し、結果として高い集塵効率を確保することができないという問題があった。
【０００９】
本発明は上記問題に鑑みてなされたもので、その目的とする処は、集塵効率の向上を図ることができる集塵機能付き電動工具を提供することにある。
【課題を解決するための手段】
【００１０】
上記目的を達成するため、請求項１記載の発明は、モータと、該モータの出力軸に取り付けられた集塵用ファンと、該集塵用ファンを覆うカバー部材を備えた集塵機能付き電動工具において、前記カバー部材の内周部に形成される風路に接するカバー部材の面を３面以上の多面で構成するとともに、該面の少なくとも１つを、前記集塵用ファンの回転軸中心に対して所定の角度を成す傾斜面とし、又は／及び該面の少なくとも１つに段差を形成することによって、前記風路の一部に前記集塵用ファンの回転軸中心からの径が他の部分より大きな大径部を形成したことを特徴とする。
【００１１】
請求項２記載の発明は、請求項１記載の発明において、前記カバー部材に形成された排塵口に連なるダストバッグを設けるとともに、前記排塵口と前記風路の大径部とを略同一高さ位置に配置したことを特徴とする。
【発明の効果】
【００１２】
請求項１記載の発明によれば、カバー部材の内周部に形成される風路に接するカバー部材の面を３面以上の多面で構成するとともに、該面の少なくとも１つを、集塵用ファンの回転軸中心に対して所定の角度を成す傾斜面とし、又は／及び該面の少なくとも１つに段差を形成することによって、前記風路の一部に前記集塵用ファンの回転軸中心からの径が他の部分よりも大きな大径部を形成したため、風路に導入された粉塵は圧力の低い大径部に集まり、この集まった粉塵が分散することなく効果的に回収されるために高い集塵効率が確保される。
【００１３】
請求項２記載の発明によれば、排塵口と風路の大径部とを略同一高さ位置に配置したため、風路内の大径部に集まった粉塵が外れることなくスムーズに排塵口を経てダストバッグに回収され、一層高い集塵効率が得られる。
【発明を実施するための最良の形態】
【００１４】
以下に本発明の実施の形態を添付図面に基づいて説明する。
【００１５】
＜実施の形態１＞
図１は本発明に係る集塵機能付き電動工具の一形態としてのランダム・オービタルサンダーの縦断面図、図２は同ランダム・オービタルサンダーの部分拡大断面図である。
【００１６】
本実施の形態に係るランダム・オービタルサンダーの基本構成及び作用は、図６及び図７に示した従来のランダム・オービタルサンダーのそれらと同じであるため、これらについての再度の説明は省略する。従って、図１及び図２においては、図６及び図７にて示したものと同一要素には同一符号を付している。
【００１７】
本実施の形態は、図２に詳細に示すように、ファンカバー５の内周部に形成される風路１０に接するファンカバー５の面を上面５ａと下面５ｂ及び内周面５ｃの３面で構成するとともに、これらのうちの内周面５ｃを集塵用ファン４Ｂの回転軸中心に対して所定の角度を成す傾斜面としたことを特徴とする。具体的には、この内周面５ｃは上方に向かって径方向外方に傾斜する（上方に向かって開く）傾斜面を構成しており、この内周面５ｃと上面５ａとが交わる風路１０のコーナー部は、集塵用ファン４Ｂの回転軸中心からの径が他の部分よりも大きいために圧力が低くなる大径部１０ａを構成している。即ち、風路１０において集塵用ファン４Ｂにて発生する空気流の流速は、回転軸の中心からの径が他の部分よりも大きな大径部１０ａにおいて大きくなるため、該大径部１０ａでの動圧が大きくなり、その分だけ大径部１０ａでの静圧が下がり、結果として前述のように大径部（コーナー部）１０ａの圧力（静圧）が他の部分のそれよりも低くなる。
【００１８】
又、風路１０内に部分的に形成された前記大径部１０ａとファンカバー５の排塵口５Ａとは略同一高さ位置に配置されている。つまり、大径部１０ａは、排塵口５Ａの高さと略同じ高さ位置に形成されている。
【００１９】
而して、研磨加工時に発生する粉塵Ｐは、粉塵用ファン４Ｂの回転によって発生した空気流によってパッド８の複数の集塵孔８ａを通ってファンカバー５内の風路１０へと導入されるが、本実施の形態では、前述のようにファンカバー５の内周面５ｃを傾斜面として風路１０の一部に大径部１０ａを形成したため、図２に詳細に示すように、風路１０へと導入された粉塵Ｐは、他の部分よりも圧力が低い大径部１０ａへと集まり、従来のように（図７参照）分散して上下方向に一様に分布することがない。従って、風路１０の大径部１０ａに集まった粉塵Ｐは、分散することなく塊となって集塵ダクト５Ｂの排塵口５Ａを経てダストバッグ１１へと効率良く回収され、この結果、高い集塵効率が確保される。
【００２０】
又、本実施の形態では、ファンカバー５の排塵口５Ａと風路１０の大径部１０ａとを略同一高さ位置に配置したため、風路１０内の大径部１０ａに集まった粉塵Ｐが外れることなくスムーズに排塵口５Ａを経てダストバッグ１１に回収されることとなり、これによって一層高い集塵効率が得られる。
【００２１】
＜実施の形態２＞
次に、本発明の実施の形態２を図３に基づいて説明する。尚、図３は本発明の実施の形態２に係るランダム・オービタルサンダーの部分断面図である。
【００２２】
本実施の形態は、ファンカバー５の風路１０に接する面を上面５ａと下面５ｂ及び内周面５ｃの３面で構成し、内周面５ｃを従来と同様に集塵ファン４Ｂの回転軸中心に対して平行な垂直面とするが、この内周面５ｃの上面５ａと交わるコーナー部に段差５ｄを形成し、その部分に風路１０の大径部１０ａを形成したことを特徴とする。そして、本実施の形態においても、大径部１０ａを排塵口５Ａ（図１参照）の高さと略同じ高さ位置に形成している。
【００２３】
従って、本実施の形態においても、研磨加工時に風路１０へと導入された粉塵はＰ、他の部分よりも圧力が低い大径部１０ａへと集まり、この集まった粉塵Ｐが排塵口５Ａを経てダストバッグ１１（図１参照）へと効率良く回収されるため、高い集塵効率が確保される。この場合、風路１０の大径部１０ａは、ファンカバー５の排塵口５Ａと略同一高さ位置に配置されているため、風路１０内の大径部１０ａに集まった粉塵Ｐが外れることなくスムーズに排塵口５Ａを経てダストバッグ１１に回収されることとなり、これによって一層高い集塵効率が得られる。
【００２４】
＜実施の形態３＞
次に、本発明の実施の形態３を図４に基づいて説明する。尚、図４は本実施の形態に係るランダム・オービタルサンダーの風路の断面形状を示す部分断面図である。
【００２５】
本実施の形態は、前記実施の形態１と２を組み合わせたものであって、ファンカバー５の内周面５ｃの一部を傾斜面とするとともに、内周面５ｃが上面５ａと交わるコーナー部に段差５ｄを形成し、その部分を風路１０の大径部１０ａとしたことを特徴としている。そして、本実施の形態においても、大径部１０ａを排塵口５Ａ（図１参照）の高さと略同じ高さ位置に形成している。
【００２６】
従って、本実施の形態においても、研磨加工時に風路１０へと導入された粉塵Ｐは、他の部分よりも圧力が低い大径部１０ａへと集まるため、前記と同様の理由によって高い集塵効率が得られる。
【００２７】
＜実施の形態４＞
次に、本発明の実施の形態４を図５に基づいて説明する。尚、図５は本実施の形態に係るランダム・オービタルサンダーの風路の断面形状を示す部分断面図である。
【００２８】
本実施の形態は、ファンカバー５の内周面５ｃを、互いに逆方向に傾斜する２つの傾斜面５ｃ−１，５ｃ−２で構成し、両傾斜面５ｃ−１，５ｃ−２が交わる部分に風路１０の大径部１０ａを形成したことを特徴としている。そして、本実施の形態においても、大径部１０ａを排塵口５Ａ（図１参照）の高さと略同じ高さ位置に形成している。
【００２９】
従って、本実施の形態においても、研磨加工時に風路１０へと導入された粉塵Ｐは、他の部分よりも圧力が低い大径部１０ａへと集まるため、前記と同様の理由によって高い集塵効率が得られる。
【産業上の利用可能性】
【００３０】
本発明は、ランダム・オービタルサンダーの他、カッター、その他の集塵機能を備えた任意の集塵機能付き電動工具に対して同様に適用可能である。
【図面の簡単な説明】
【００３１】
【図１】本発明に係る集塵機能付き電動工具（ランダム・オービタルサンダー）の縦断面図である。
【図２】本発明に係る集塵機能付き電動工具（ランダム・オービタルサンダー）の部分拡大断面図である。
【図３】本発明の実施の形態２に係る集塵機能付き電動工具（ランダム・オービタルサンダー）の部分断面図である。
【図４】本発明の実施の形態３に係る集塵機能付き電動工具（ランダム・オービタルサンダー）の部分断面図である。
【図５】本発明の実施の形態４に係る集塵機能付き電動工具（ランダム・オービタルサンダー）の部分断面図である。
【図６】従来の集塵機能付き電動工具（ランダム・オービタルサンダー）の縦断面図である。
【図７】従来の集塵機能付き電動工具（ランダム・オービタルサンダー）の部分拡大断面図である。
【符号の説明】
【００３２】
１    ハウジング
２    モータ
３    モータ出力軸（モータ軸）
４    遠心ファン
４Ａ  冷却用ファン
４Ｂ  集塵用ファン
５    ファンカバー（カバー部材）
５Ａ  集塵口
５Ｂ  集塵ダクト
５ａ  ファンカバーの風路に接する上面
５ｂ  ファンカバーの風路に接する下面
５ｃ  ファンカバーの風路に接する内周面
５ｄ  段差
６    スイッチ
７    軸受
８    パッド
８ａ  集塵孔
９    ビス
１０  風路
１０ａ  風路の大径部
１１  ダストバッグ
Ｐ    粉塵
【図１】
2006255808.tif 000003
【図２】
2006255808.tif 000004
【図３】
2006255808.tif 000005
【図４】
2006255808.tif 000006
【図５】
2006255808.tif 000007
【図６】
2006255808.tif 000008
【図７】
2006255808.tif 000009